(57)【要約】【課題】適正に接続部材を保持することができるバッテリー端子を提供することを目的とする。【解決手段】バッテリー端子１は、接続部材１０を上板２０ｃと下板２０ｄとの間に挟み込んで保持する接続部材保持部２２を備え、下板２０ｄは、下板本体部２０ｏ、下板本体部２０ｏの端部に設けられ上板２０ｃ側に突出する下板折り返し端部２０ｐ、及び、下板本体部２０ｏと下板折り返し端部２０ｐとがなす角部に形成された係合凹部２０ｑを有し、上板２０ｃは、上板本体部２０ｒ、上板本体部２０ｒの端部に設けられ下板２０ｄ側に突出し一対の下板折り返し端部２０ｐの外側に位置する上板折り返し端部２０ｓ、上板折り返し端部２０ｓから係合凹部２０ｑ内に突出する保持片２０ｔ、及び、上板本体部２０ｒから下板２０ｄ側に突出し、下板折り返し端部２０ｏにおける端面２０ｐａと当接する突起部２０ｕを有することを特徴とする。【選択図】図６
2018063780.tif 000002
【特許請求の範囲】
【請求項１】
バッテリーポストに締結されるポスト締結部と、
前記ポスト締結部に連接方向に隣接して接続され、前記バッテリーポストの軸方向に沿って相互に対向する上板、及び、下板を有し、接続相手部材が接続される接続部材を前記軸方向に対して前記上板と前記下板との間に挟み込んで保持する接続部材保持部とを備え、
前記下板は、板状に形成され前記ポスト締結部に接続され前記軸方向に沿って前記上板と対向する下板本体部、前記下板本体部の前記連接方向に沿った端部に設けられ前記軸方向に沿って前記上板側に突出する下板折り返し端部、及び、前記下板本体部と前記下板折り返し端部とがなす角部に形成された係合凹部を有し、前記下板折り返し端部、及び、前記係合凹部が前記連接方向、及び、前記軸方向と交差する交差方向に対して前記下板本体部の両側に一対で設けられ、
前記上板は、板状に形成され前記ポスト締結部に接続され前記軸方向に沿って前記下板本体部と対向する上板本体部、前記上板本体部の前記連接方向に沿った端部に設けられ前記軸方向に沿って前記下板側に突出し前記交差方向に対して一対の前記下板折り返し端部の外側に位置する上板折り返し端部、前記上板折り返し端部から前記交差方向に沿って前記係合凹部内に突出する保持片、及び、前記上板本体部から前記軸方向に沿って前記下板側に突出し、前記下板折り返し端部における前記連接方向の前記ポスト締結部とは反対側の端面と当接する突起部を有し、前記上板折り返し端部、前記保持片、及び、前記突起部が前記交差方向に対して前記上板本体部の両側に一対で設けられることを特徴とする、
バッテリー端子。
【請求項２】
前記接続部材は、前記接続相手部材が接続される軸部、及び、前記軸部の一端に設けられた基部を含み、
前記上板本体部は、前記軸部が貫通する貫通孔が形成され、
前記上板本体部と前記下板本体部とは、前記軸部が前記貫通孔を貫通した状態で前記軸方向に対して前記基部を挟み込んで保持し、
前記突起部は、前記基部と当接し前記接続部材の前記軸部周りの回転を規制する、
請求項１に記載のバッテリー端子。
【請求項３】
前記ポスト締結部と前記上板本体部、及び、前記下板本体部との接続部分にそれぞれ前記軸方向に沿って段差が付された折り曲げ支点部を備える、
請求項１又は請求項２に記載のバッテリー端子。
【発明の詳細な説明】
【技術分野】
【０００１】
本発明は、バッテリー端子に関する。
【背景技術】
【０００２】
従来のバッテリー端子として、例えば、特許文献１には、バッテリーポストを挿入するための第一バッテリーポスト挿入穴を有する第一環状部に連成される第一接合板と、バッテリーポストを挿入するための第二バッテリーポスト挿入穴を有する第二環状部に連成される第二接合板と、第一バッテリーポスト挿入穴及び第二バッテリーポスト挿入穴の各軸を合わせるようにして第一接合板及び第二接合板を重ねた状態でこれら第一接合板及び第二接合板により固定される端子固定ボルトと、を備えたバッテリーターミナルが開示されている。このバッテリーターミナルは、第一接合板に、端子固定ボルトの頭部の平面形状に合わせて貫通し、かつ、第一接合板の肉厚により生じる穴側面で頭部の回転方向の力を押さえ込む回転規制穴が形成され、第二接合板に、端子固定ボルトの軸部のみを挿入可能とする貫通した軸部挿入穴と、該軸部挿入穴に軸部を挿入し回転規制穴に頭部を挿入した状態で第一接合板の外側から回転規制穴の少なくとも一部を覆う軸方向移動規制部とが形成されている。
【先行技術文献】
【特許文献】
【０００３】
【特許文献１】特開２００３−３１７７００号公報
【発明の概要】
【発明が解決しようとする課題】
【０００４】
ところで、上述の特許文献１に記載のバッテリーターミナルは、例えば、接続相手部材との電気接続の信頼性を向上するべく、当該接続相手部材が接続される接続部材である端子固定ボルトのより適正な保持の点で更なる改善の余地がある。
【０００５】
本発明は、上記の事情に鑑みてなされたものであって、適正に接続部材を保持することができるバッテリー端子を提供することを目的とする。
【課題を解決するための手段】
【０００６】
上記目的を達成するために、本発明に係るバッテリー端子は、バッテリーポストに締結されるポスト締結部と、前記ポスト締結部に連接方向に隣接して接続され、前記バッテリーポストの軸方向に沿って相互に対向する上板、及び、下板を有し、接続相手部材が接続される接続部材を前記軸方向に対して前記上板と前記下板との間に挟み込んで保持する接続部材保持部とを備え、前記下板は、板状に形成され前記ポスト締結部に接続され前記軸方向に沿って前記上板と対向する下板本体部、前記下板本体部の前記連接方向に沿った端部に設けられ前記軸方向に沿って前記上板側に突出する下板折り返し端部、及び、前記下板本体部と前記下板折り返し端部とがなす角部に形成された係合凹部を有し、前記下板折り返し端部、及び、前記係合凹部が前記連接方向、及び、前記軸方向と交差する交差方向に対して前記下板本体部の両側に一対で設けられ、前記上板は、板状に形成され前記ポスト締結部に接続され前記軸方向に沿って前記下板本体部と対向する上板本体部、前記上板本体部の前記連接方向に沿った端部に設けられ前記軸方向に沿って前記下板側に突出し前記交差方向に対して一対の前記下板折り返し端部の外側に位置する上板折り返し端部、前記上板折り返し端部から前記交差方向に沿って前記係合凹部内に突出する保持片、及び、前記上板本体部から前記軸方向に沿って前記下板側に突出し、前記下板折り返し端部における前記連接方向の前記ポスト締結部とは反対側の端面と当接する突起部を有し、前記上板折り返し端部、前記保持片、及び、前記突起部が前記交差方向に対して前記上板本体部の両側に一対で設けられることを特徴とする。
【０００７】
また、上記バッテリー端子では、前記接続部材は、前記接続相手部材が接続される軸部、及び、前記軸部の一端に設けられた基部を含み、前記上板本体部は、前記軸部が貫通する貫通孔が形成され、前記上板本体部と前記下板本体部とは、前記軸部が前記貫通孔を貫通した状態で前記軸方向に対して前記基部を挟み込んで保持し、前記突起部は、前記基部と当接し前記接続部材の前記軸部周りの回転を規制するものとすることができる。
【０００８】
また、上記バッテリー端子では、前記ポスト締結部と前記上板本体部、及び、前記下板本体部との接続部分にそれぞれ前記軸方向に沿って段差が付された折り曲げ支点部を備えるものとすることができる。
【発明の効果】
【０００９】
本発明に係るバッテリー端子は、ポスト締結部がバッテリーポストに締結されると共に、接続部材保持部が上板と下板との間に接続部材を挟み込んで保持する。この場合、バッテリー端子は、上板の上板本体部、上板折り返し端部、及び、保持片と、下板の下板本体部、下板折り返し端部、及び、係合凹部とによって接続部材を挟み込んで保持する。そして、バッテリー端子は、上板に形成された突起部が下板折り返し端部における連接方向のポスト締結部とは反対側の端面と当接する。これにより、バッテリー端子は、当該突起部によって上板と下板との連接方向に沿った相対移動を規制することができる。この結果、バッテリー端子は、上板の上板本体部、上板折り返し端部、及び、保持片と、下板の下板本体部、下板折り返し端部、及び、係合凹部とが相互に変形することを抑制することができるので、適正に接続部材を保持することができる、という効果を奏する。
【図面の簡単な説明】
【００１０】
【図１】図１は、実施形態に係るバッテリー端子、及び、バッテリーの概略構成を表す部分斜視図である。
【図２】図２は、実施形態に係るバッテリー端子、及び、バッテリーの概略構成を表す部分分解斜視図である。
【図３】図３は、実施形態に係るバッテリー端子の概略構成を表す斜視図である。
【図４】図４は、実施形態に係るバッテリー端子の概略構成を表す分解斜視図である。
【図５】図５は、実施形態に係るバッテリー端子を第２幅方向の一方側から視た正面図である。
【図６】図６は、実施形態に係るバッテリー端子のボルト保持部を含む部分斜視図である。
【図７】図７は、実施形態に係るバッテリー端子のボルト保持部を含む部分断面斜視図である。
【図８】図８は、実施形態に係るバッテリー端子のボルト保持部を含む第２幅方向に沿った断面図である。
【発明を実施するための形態】
【００１１】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１２】
［実施形態］
【００１３】
図１〜図５に示す本実施形態に係るバッテリー端子１は、バッテリー５０のバッテリーポスト５１に組み付けられるものである。バッテリー端子１は、バッテリーポスト５１に組み付けられることにより、バッテリー５０と、接続端子５２等とを電気的に接続するための部品である。バッテリー５０は、車両等に蓄電装置として搭載されるものである。バッテリー５０は、バッテリー液や当該バッテリー５０を構成する種々の部品を収容するバッテリー筐体５３の１つの面、典型的には、バッテリー５０を車両に搭載した状態で鉛直方向上側に位置する面にバッテリーポスト５１が立設される。バッテリーポスト５１は、バッテリー筐体５３の鉛直方向上側の面から鉛直方向上側に向けて突出する。バッテリーポスト５１は、円柱状、より詳細には、先端側に進むにつれて径が小さくなるようテーパが付けられた円柱状（あるいは、円筒状）に形成される。つまり、バッテリーポスト５１は、先端の外径が基端の外径より小さいテーパ形状となる。バッテリーポスト５１は、中心軸線Ｃが鉛直方向に沿うように配置される。バッテリー端子１は、このように構成されるバッテリーポスト５１に締結される。また、接続端子５２は、このバッテリー５０が搭載される車両等の本体側の電線５４の末端に設けられた接続相手部材である。
【００１４】
なお、以下の説明では、バッテリーポスト５１の中心軸線Ｃに沿った方向を軸方向Ｘという。またここでは、以下の説明を分かり易くするために、便宜的に当該軸方向Ｘと直交する２方向のうち一方を第１幅方向Ｙといい、他方を第２幅方向Ｚという。第１幅方向Ｙ、及び、第２幅方向Ｚは、軸方向Ｘと交差する交差方向に相当する。第１幅方向Ｙは、後述する締付部３０による本体部２０の締付方向に相当する。また、第２幅方向Ｚは、後述するポスト締結部２１とボルト保持部２２とが隣接し接続される連接方向に相当する。これら軸方向Ｘ、第１幅方向Ｙ、及び、第２幅方向Ｚは互いに交差、ここでは直交する。以下の説明で用いる各方向は、特に断りのない限り、各部が相互に組み付けられた状態での方向を表すものとする。
【００１５】
具体的には、バッテリー端子１は、接続部材としてのスタッドボルト１０と、本体部２０と、締付部３０とを備える。
【００１６】
スタッドボルト１０は、接続端子５２が接続される軸部１０ａと、軸部１０ａの一端に設けられた基部としてのボルト頭部１０ｂ（特に図４参照）とを含んで構成される。軸部１０ａは、円柱状に形成されると共に外周面に螺合溝が形成されている。ボルト頭部１０ｂは、軸部１０ａが立設される台座部分である。ボルト頭部１０ｂは、軸部１０ａより大径の部分として形成され、ここでは、略矩形状に形成される。
【００１７】
本体部２０は、バッテリーポスト５１に締結されるポスト締結部２１と、ポスト締結部２１に第２幅方向Ｚに隣接して接続されスタッドボルト１０を保持する接続部材保持部としてのボルト保持部２２とを備える。本体部２０は、例えば、導電性を有する金属板のプレス折り曲げ加工等により、ポスト締結部２１を構成する一対の環状部２０ａ、２０ｂ、ボルト保持部２２を構成する一対の保持板状部２０ｃ、２０ｄ、及び、屈曲連結部２０ｅが一体で形成される。
【００１８】
一対の環状部２０ａ、２０ｂは、略矩形環状に形成され、それぞれバッテリーポスト５１が挿入される略円形状のポスト挿入孔２０ｆ、２０ｇ、及び、ポスト挿入孔２０ｆ、２０ｇと連続するスリット（間隙）２０ｈ、２０ｉが形成される。
【００１９】
一対の保持板状部２０ｃ、２０ｄは、略矩形状に形成され、保持板状部２０ｃ側にスタッドボルト１０の軸部１０ａが挿入される略円形状のボルト挿入孔２０ｊが形成される。保持板状部２０ｃは、環状部２０ａと連続するように一体で形成され、保持板状部２０ｄは、環状部２０ｂと連続するように一体で形成される。
【００２０】
そして、環状部２０ａと環状部２０ｂとは、それぞれ保持板状部２０ｃ、２０ｄが設けられている端部とは反対側の端部同士が屈曲連結部２０ｅを介して連続するように一体で形成される。これにより、本体部２０は、屈曲連結部２０ｅを挟んで、Ｕ字状に折り返された状態に形成され、環状部２０ａ、保持板状部２０ｃと環状部２０ｂ、保持板状部２０ｄとが軸方向Ｘに対向しそれぞれ上下に略平行に板状に積層された状態となるように形成される。
【００２１】
なお、ここで、上下に積層された状態とは、典型的には、バッテリー端子１がバッテリーポスト５１に組み付けられた状態で、バッテリーポスト５１の軸方向Ｘに沿って積層されるような状態に相当する。また、積層方向は、典型的には、バッテリー端子１がバッテリーポスト５１に組み付けられた状態で、軸方向Ｘに沿った方向であり、ここではスタッドボルト１０の軸部１０ａが突出する側を積層方向上側、反対側を積層方向下側とする。また、積層方向上側とは、バッテリーポスト５１の先端側に相当し、積層方向下側とは、バッテリーポスト５１の基端側に相当する。ここでは、本体部２０は、環状部２０ａ、保持板状部２０ｃが積層方向上側、環状部２０ｂ、保持板状部２０ｄが積層方向下側となる。
【００２２】
一対の環状部２０ａ、２０ｂは、屈曲連結部２０ｅを介して上下に積層された状態でポスト挿入孔２０ｆとポスト挿入孔２０ｇとが積層方向に対向する位置関係となるように当該ポスト挿入孔２０ｆ、ポスト挿入孔２０ｇが形成される。ポスト挿入孔２０ｆは、板金が積層方向上側に折り返されることで内周壁面が形成され、ポスト挿入孔２０ｇは、板金が積層方向下側に折り返されることで内周壁面が形成される。ポスト挿入孔２０ｆ、ポスト挿入孔２０ｇは、それぞれの内周壁面に上述したバッテリーポスト５１のテーパに対応したテーパを有している。ここでは、ポスト挿入孔２０ｆとポスト挿入孔２０ｇとのうちスタッドボルト１０の軸部１０ａが突出する側、すなわち、ポスト挿入孔２０ｆ側の内径が最小となり、反対側のポスト挿入孔２０ｇ側の内径が最大となる。ポスト挿入孔２０ｆ、ポスト挿入孔２０ｇは、バッテリーポスト５１が挿入された状態で、各内周面がバッテリーポスト５１と接触する。
【００２３】
また、一対の環状部２０ａ、２０ｂは、屈曲連結部２０ｅを介して上下に積層された状態でスリット２０ｈとスリット２０ｉとが積層方向に対向する位置関係となるように当該スリット２０ｈ、スリット２０ｉが形成される。スリット２０ｈ、スリット２０ｉは、屈曲連結部２０ｅにて連続しており、全体として屈曲連結部２０ｅ及び環状部２０ａ、２０ｂにおいて、当該屈曲連結部２０ｅからポスト挿入孔２０ｆ、ポスト挿入孔２０ｇまで延在している。言い換えれば、スリット２０ｈ、２０ｉは、ポスト挿入孔２０ｆ、２０ｇから環状部２０ａ、２０ｂの一部を分断するようにして屈曲連結部２０ｅまで延在して形成される。さらに、一対の環状部２０ａ、２０ｂは、それぞれポスト挿入孔２０ｆ、２０ｇから屈曲連結部２０ｅまでの間の部分が後述の締付部３０によって締め付けられる締付端部２０ｋを構成する。スリット２０ｈ、２０ｉは、この締付端部２０ｋを第２幅方向Ｚに沿ってポスト挿入孔２０ｆ、２０ｇから屈曲連結部２０ｅまで貫通する。締付端部２０ｋは、第１幅方向Ｙの両側の端部に、それぞれ締付部３０の一部が嵌合する略矩形状の切り欠き部２０ｌ、２０ｍが形成されている。また、締付端部２０ｋは、切り欠き部２０ｍ内にさらに半円形状に形成されたガイド凹部２０ｎ（特に図４参照）が形成されている。
【００２４】
一対の保持板状部２０ｃ、２０ｄは、折り曲げ加工の前に事前にボルト挿入孔２０ｊにスタッドボルト１０の軸部１０ａが挿入された状態で折り曲げ加工されることで、屈曲連結部２０ｅを介して上下に積層された状態で当該スタッドボルト１０を保持する。ここでは、保持板状部２０ｃは、スタッドボルト１０の軸部１０ａが貫通する貫通孔としてのボルト挿入孔２０ｊが形成された上板を構成し、保持板状部２０ｄは、上板である保持板状部２０ｃと積層方向（軸方向Ｘ）に対向し保持板状部２０ｃとの間にスタッドボルト１０のボルト頭部１０ｂを保持する下板を構成する。つまり、一対の保持板状部２０ｃ、及び、保持板状部２０ｄは、互いに対向して積層され互いの間にボルト頭部１０ｂを保持する。言い換えれば、ボルト保持部２２は、軸方向Ｘに沿って相互に対向する保持板状部２０ｃ、及び、保持板状部２０ｄを有し、スタッドボルト１０のボルト頭部１０ｂを軸方向Ｘに対して保持板状部２０ｃと保持板状部２０ｄとの間に挟み込んで保持する。なお、当該ボルト保持部２２の構成については、図６、図７、図８を参照して後で詳細に説明する。
【００２５】
スタッドボルト１０は、保持板状部２０ｃと保持板状部２０ｄとの間に保持された状態で、ボルト挿入孔２０ｊから軸部１０ａが軸方向Ｘに沿って突出するようにして露出している。スタッドボルト１０は、ボルト挿入孔２０ｊから露出した当該軸部１０ａに接続端子５２が電気的に接続される。スタッドボルト１０は、接続端子５２の締結孔５２ａに軸部１０ａが挿入され、当該軸部１０ａにナット５５が螺合されることで当該軸部１０ａに接続端子５２が締結される。上述のボルト保持部２２において、上板を構成する保持板状部２０ｃは、スタッドボルト１０の軸部１０ａにナット５５が螺合されることで、ナット５５とスタッドボルト１０のボルト頭部１０ｂとの間に接続端子５２と共に挟持される。
【００２６】
締付部３０は、ポスト挿入孔２０ｆ、２０ｇ内にバッテリーポスト５１が挿入された状態で、第１幅方向（締付方向）Ｙの両側から本体部２０の一対の環状部２０ａ、２０ｂに当接し、当該環状部２０ａ、２０ｂの締付端部２０ｋを締め付けることで、本体部２０をバッテリーポスト５１に締結するものである。締付部３０は、貫通部材としての板ナット３１と、締結部材としての締結ボルト３２と、押圧力変換部材としてのブラケット３３とを備える。本実施形態の締付部３０は、バッテリー端子１をバッテリーポスト５１に締結する場合に、締結ボルト３２を軸方向Ｘに沿って締め付けていく形式である。そして、締付部３０は、軸方向Ｘに沿った方向に発生する締結ボルト３２による締付力Ｆ１（特に図５参照）を、軸方向Ｘと交差する締付方向である第１幅方向Ｙの押圧力Ｆ２（特に図５参照）に変換し、当該押圧力Ｆ２によってバッテリー端子１においてバッテリーポスト５１が挿入される部分を押圧することで、バッテリーポスト５１に締結するものである。
【００２７】
具体的には、板ナット３１は、第１幅方向Ｙに沿って本体部２０の環状部２０ａ、２０ｂの一端側からスリット２０ｈ、２０ｉを挟んで本体部２０の環状部２０ａ、２０ｂの他端側まで延在して配置される部材である。ここで上述したように、第１幅方向Ｙは、バッテリーポスト５１の中心軸線Ｃに沿った軸方向Ｘと直交（交差）する方向であって、環状部２０ａ、２０ｂに形成されたスリット２０ｈ、２０ｉを横断する方向に相当し、典型的には、環状部２０ａ、２０ｂをバッテリーポスト５１に締結する際に締付部３０によって環状部２０ａ、２０ｂを締め付ける締付方向に相当する。
【００２８】
より詳細には、板ナット３１は、板状部３１ａと、当接部３１ｂと、螺合孔３１ｃと、テーパ形成端部３１ｄとを含んで構成され、これらが導電性を有する金属等によって一体で形成される。板状部３１ａは、略矩形板状に形成され、第１幅方向Ｙに沿って環状部２０ａ、２０ｂの一端側からスリット２０ｈ、２０ｉを挟んで環状部２０ａ、２０ｂの他端側まで延在して当該環状部２０ａ、２０ｂに配置される板ナット３１の本体部分である。当接部３１ｂは、板状部３１ａの第１幅方向Ｙの一端側に設けられ本体部２０の環状部２０ａ、２０ｂ、ここでは、締付端部２０ｋと当接する部分である。さらに言えば、当接部３１ｂは、板状部３１ａが第１幅方向Ｙに沿って環状部２０ａ、２０ｂの一端側からスリット２０ｈ、２０ｉを挟んで環状部２０ａ、２０ｂの他端側まで貫通するように本体部２０に組み付けられた状態で、本体部２０の切り欠き部２０ｌ側に位置する端部に当該板状部３１ａと一体で形成される。当接部３１ｂは、略矩形板状に形成され、板ナット３１が本体部２０に組み付けられた状態で、上述の締付端部２０ｋに形成された当該切り欠き部２０ｌと嵌合し切り欠き部２０ｌ内に収容され位置決めされ、締付端部２０ｋと当接する。螺合孔３１ｃは、板状部３１ａの第１幅方向Ｙの他端側、すなわち、当接部３１ｂとは反対側の端部に当該板状部３１ａを軸方向Ｘに貫通し形成された部分である。螺合孔３１ｃは、内周面に螺合溝が形成され、締結ボルト３２が螺合可能に形成される。テーパ形成端部３１ｄは、板状部３１ａの第１幅方向Ｙの他端側、すなわち、螺合孔３１ｃが形成される側の端部に設けられ、第１テーパ面３１ｅが形成された部分である。さらに言えば、テーパ形成端部３１ｄは、板状部３１ａが第１幅方向Ｙに沿って環状部２０ａ、２０ｂの一端側からスリット２０ｈ、２０ｉを挟んで環状部２０ａ、２０ｂの他端側まで貫通するように本体部２０に組み付けられた状態で、切り欠き部２０ｍ側の端部に、当該板状部３１ａと一体で形成される。第１テーパ面３１ｅは、ブラケット３３に形成された第２テーパ面３３ｅと対向し当接する面である。ここでは、テーパ形成端部３１ｄは、板状部３１ａの端部において第２幅方向Ｚの両側にそれぞれ突出して形成され、それぞれの突出部分に第１テーパ面３１ｅが形成される。第１テーパ面３１ｅは、少なくともテーパ形成端部３１ｄの積層方向上側の面、すなわち、軸方向Ｘにおいてブラケット３３が位置する側の面に形成される。当該第１テーパ面３１ｅの傾斜方向については、後で詳細に説明する。
【００２９】
上記のように構成される板ナット３１は、テーパ形成端部３１ｄ側を、締付端部２０ｋにおいて切り欠き部２０ｌ側から、上下に積層された状態の一対の環状部２０ａ、２０ｂの間に挿入し、第１幅方向Ｙに沿って環状部２０ａ、２０ｂの一端側から他端側まで貫通させることで、本体部２０に組み付けられる。つまり、板ナット３１は、スリット２０ｈ、２０ｉを横断するような位置関係で、第１幅方向Ｙの屈曲連結部２０ｅの一端部から挿入される。さらに言えば、板ナット３１は、屈曲連結部２０ｅを介して上下に積層された状態の一対の環状部２０ａ、２０ｂの間にスリット２０ｈ、２０ｉを横断するように形成される空間部に挿入され、本体部２０に組み付けられる。板ナット３１は、本体部２０に組み付けられた状態で、当接部３１ｂが切り欠き部２０ｌに嵌合し当該切り欠き部２０ｌ内に収容され位置決めされると共に螺合孔３１ｃ、テーパ形成端部３１ｄが締付端部２０ｋを挟んで当接部３１ｂとは反対側に位置し、当接部３１ｂとテーパ形成端部３１ｄとが第１幅方向Ｙに対向する。そして、板ナット３１は、本体部２０に組み付けられた状態で、螺合孔３１ｃが軸方向Ｘに沿う。
【００３０】
締結ボルト３２は、板ナット３１に形成された螺合孔３１ｃと螺合し軸方向Ｘ周りの回転に伴って軸方向Ｘに沿って移動する部材である。締結ボルト３２は、板ナット３１の螺合孔３１ｃに螺合される貫通部としての軸部３２ａと、軸部３２ａの一端に設けられたボルト頭部３２ｂとを含んで構成され、これらが導電性を有する金属等によって一体で形成される。軸部３２ａは、円柱状に形成されると共に外周面に、螺合孔３１ｃの螺合溝と螺合する螺合溝が形成されている。ボルト頭部３２ｂは、軸部３２ａが立設される台座部分である。言い換えれば、ボルト頭部３２ｂは、軸部３２ａの一方の端部に当該軸部３２ａと一体で設けられる。ボルト頭部３２ｂは、軸部３２ａより大径の部分として形成され、ここでは、略六角形状に形成される。ボルト頭部３２ｂは、締結ボルト３２を軸部３２ａ周りに回転させるために工具等によって把持される部分である。締結ボルト３２は、螺合孔３１ｃに螺合した状態で軸方向Ｘ周りの回転に伴って螺合溝の螺合作用により、板ナット３１に対して軸方向Ｘに沿って相対移動する。
【００３１】
ブラケット３３は、締結ボルト３２の軸方向Ｘに沿った移動に伴って当該軸方向Ｘに沿って移動可能で、かつ、板ナット３１の第１テーパ面３１ｅと当接しながら第１幅方向Ｙに沿って板ナット３１に対して相対移動可能に設けられ、軸方向Ｘに沿った締結力Ｆ１を、第１幅方向Ｙに沿った押圧力Ｆ２に変換する部材である。ブラケット３３は、締結ボルト３２の軸部３２ａに組み付けられた状態で締結ボルト３２の軸方向Ｘに沿った移動に伴って当該軸方向Ｘに沿って移動する。そして、ブラケット３３は、本体部２０の環状部２０ａ、２０ｂの他端側、すなわち、板ナット３１のテーパ形成端部３１ｄが位置する側で当該環状部２０ａ、２０ｂの締付端部２０ｋと当接し、第１幅方向Ｙの押圧力Ｆ２を発生させる。さらに言えば、ブラケット３３は、本体部２０の環状部２０ａ、２０ｂの他端側、すなわち、切り欠き部２０ｍ側で当該本体部２０の環状部２０ａ、２０ｂと当接する。そして、ブラケット３３は、締結ボルト３２の軸方向Ｘ周りの回転に伴って締結ボルト３２と板ナット３１との間に発生する軸方向Ｘの締結力Ｆ１を、第１幅方向Ｙの押圧力Ｆ２に変換する。
【００３２】
より詳細には、ブラケット３３は、略矩形板状に形成される基部３３ａと、当該基部３３ａと一体で形成され当該基部３３ａの４辺のうち対向する２辺から軸方向Ｘ一方側へ延在する一対の直立部３３ｂとを含んで構成され、これらが導電性を有する金属等によって一体で形成される。一対の直立部３３ｂは、第２幅方向Ｚに対向する。ブラケット３３は、例えば、金属板のプレス折り曲げ加工等により、基部３３ａ、及び、各直立部３３ｂ全体として略コの字型に形成される。そして、ブラケット３３は、基部３３ａに形成される貫通部３３ｃと、各直立部３３ｂに形成される当接面３３ｄ、及び、第２テーパ面３３ｅとを有する。  
【００３３】
貫通部３３ｃは、締結ボルト３２の軸部３２ａが貫通する貫通孔であり、基部３３ａを軸方向Ｘに貫通するようにして形成される。貫通部３３ｃは、第１幅方向Ｙに沿って延在する略長円形状に形成される。ブラケット３３は、当該貫通部３３ｃに軸方向Ｘに沿って締結ボルト３２の軸部３２ａが挿入されることで、軸方向Ｘに沿って移動可能に当該締結ボルト３２に組み付けられる。また、ブラケット３３は、貫通部３３ｃが第１幅方向Ｙに沿って略長円形状に形成されることから、締結ボルト３２の軸部３２ａが貫通部３３ｃに挿入される状態で、締結ボルト３２に対して第１幅方向Ｙに沿って相対移動可能に構成される。これにより、ブラケット３３は、締結ボルト３２に組み付けられ当該締結ボルト３２の軸部３２ａが板ナット３１の螺合孔３１ｃに螺合した状態で、板ナット３１に対して当該締結ボルト３２を介して軸方向Ｘ、及び、第１幅方向Ｙに沿って相対移動可能に支持される。ブラケット３３は、貫通部３３ｃに締結ボルト３２の軸部３２ａが挿入され、当該軸部３２ａが板ナット３１の螺合孔３１ｃに螺合された位置関係で支持された状態で、各直立部３３ｂが基部３３ａより板状部３１ａ側に位置する。典型的には、ブラケット３３は、締結ボルト３２を介して板ナット３１に組み付けられた状態で、基部３３ａが積層方向（鉛直方向）上側、各直立部３３ｂが積層方向（鉛直方向）下側に位置する。
【００３４】
当接面３３ｄは、各直立部３３ｂの第１幅方向Ｙの一方の端面にそれぞれ形成される。各当接面３３ｄは、各直立部３３ｂにおいて、本体部２０の環状部２０ａ、２０ｂにおける締付端部２０ｋと第１幅方向Ｙに対向する面にそれぞれ形成される。すなわち、各当接面３３ｄは、ブラケット３３が締結ボルト３２を介して板ナット３１に組み付けられた状態で、各直立部３３ｂにおいて、第１幅方向Ｙの締付端部２０ｋ側の面にそれぞれ形成される。つまり、各当接面３３ｄは、各直立部３３ｂにおいて、本体部２０の環状部２０ａ、２０ｂの他端側、すなわち、切り欠き部２０ｍ側で締付端部２０ｋと対向する面に形成され当該締付端部２０ｋと当接する面を構成する。各当接面３３ｄは、各直立部３３ｂの端面において、軸方向Ｘに沿った面として形成される。ブラケット３３は、締結ボルト３２を介して板ナット３１に組み付けられた状態で、当該各当接面３３ｄ側が上述の締付端部２０ｋに形成された切り欠き部２０ｍと嵌合し当該切り欠き部２０ｍ内に収容され位置決めされ、環状部２０ａ、２０ｂの締付端部２０ｋと当接する。また、締結ボルト３２は、ブラケット３３が組み付けられ、軸部３２ａが板ナット３１の螺合孔３１ｃに螺合した状態で当該軸部３２ａが切り欠き部２０ｍ内に形成されたガイド凹部２０ｎ内に嵌合し当該ガイド凹部２０ｎ内に収容され位置決めされる。
【００３５】
第２テーパ面３３ｅは、ブラケット３３が締結ボルト３２を介して板ナット３１に組み付けられた状態で、板ナット３１のテーパ形成端部３１ｄに形成された第１テーパ面３１ｅと対向し当接する面である。第２テーパ面３３ｅは、各直立部３３ｂの第１幅方向Ｙの他方の端面にそれぞれ形成される。各第２テーパ面３３ｅは、各直立部３３ｂにおいて、本体部２０の環状部２０ａ、２０ｂにおける締付端部２０ｋと第１幅方向Ｙに対向する当該締付端部２０ｋ側の面とは反対側の面、すなわち、第１幅方向Ｙに対して各当接面３３ｄとは反対側の面にそれぞれ形成される。ブラケット３３は、締結ボルト３２を介して板ナット３１に組み付けられた状態で、各第２テーパ面３３ｅが形成された部分、すなわち、各直立部３３ｂが第１幅方向Ｙに対して本体部２０の環状部２０ａ、２０ｂにおける締付端部２０ｋとテーパ形成端部３１ｄとの間に位置する。そして、ブラケット３３は、各第２テーパ面３３ｅがテーパ形成端部３１ｄ側で各第１テーパ面３１ｅと対向し当接する。
【００３６】
そして、各第１テーパ面３１ｅと各第２テーパ面３３ｅとは、互いに対向して当接すると共に、軸方向Ｘに対して傾斜した面として形成される。より具体的には、各第１テーパ面３１ｅと各第２テーパ面３３ｅとは、軸方向Ｘ周りの締結ボルト３２の回転に伴って締結ボルト３２と共にブラケット３３が軸方向Ｘに沿って板ナット３１側に接近した際に、締結ボルト３２と板ナット３１との間に発生する軸方向Ｘの締結力Ｆ１を、本体部２０の環状部２０ａ、２０ｂにおける締付端部２０ｋを第１幅方向Ｙに沿って当接部３１ｂとブラケット３３との間で押圧する第１幅方向Ｙの押圧力Ｆ２に変換する方向に傾斜する。ここでは、各第２テーパ面３３ｅは、ブラケット３３が締結ボルト３２を介して板ナット３１に組み付けられた状態で、基部３３ａ側から軸方向Ｘに沿って離間するのにしたがって徐々に締付端部２０ｋ側に接近するような傾斜面、言い換えれば、各当接面３３ｄが軸方向Ｘに平行に形成された各直立部３３ｂの第１幅方向Ｙに沿った幅が徐々に狭まるような傾斜面として形成される。そして、各第１テーパ面３１ｅは、ブラケット３３が締結ボルト３２を介して板ナット３１に組み付けられた状態で、当該各第２テーパ面３３ｅと対向し当該各第２テーパ面３３ｅに沿う傾斜面、すなわち、各第２テーパ面３３ｅとほぼ平行な傾斜面として形成され、各第２テーパ面３３ｅと適正な接触状態を維持することができるように形成されている。つまり、各第１テーパ面３１ｅは、板ナット３１が本体部２０に組み付けられた状態で、締結ボルト３２、ブラケット３３が位置する側（積層方向上側）から軸方向Ｘに沿って当該締結ボルト３２、ブラケット３３とは反対側（積層方向下側）に離間するのにしたがって徐々に締付端部２０ｋ側に接近するような傾斜面、言い換えれば、テーパ形成端部３１ｄの第１幅方向Ｙに沿った幅が徐々に広くなるような傾斜面として形成される。
【００３７】
上記のように構成されるバッテリー端子１は、板ナット３１が本体部２０に組み付けられ、ブラケット３３が締結ボルト３２の軸部３２ａに装着されると共に当該軸部３２ａが板ナット３１の螺合孔３１ｃに螺合することで各部が相互に組み付けられる。バッテリー端子１は、軸方向Ｘに対して、締結ボルト３２のボルト頭部３２ｂと板ナット３１との間にブラケット３３が介在するような位置関係で各部が相互に組み付けられる。バッテリー端子１は、板ナット３１が本体部２０に組み付けられ、ブラケット３３が締結ボルト３２を介して板ナット３１に組み付けられた状態で、板ナット３１の当接部３１ｂが切り欠き部２０ｌと嵌合し切り欠き部２０ｌ内に収容され位置決めされ、ブラケット３３の各当接面３３ｄ側が切り欠き部２０ｍと嵌合し切り欠き部２０ｍ内に収容され位置決めされ、締結ボルト３２の軸部３２ａがガイド凹部２０ｎ内に嵌合し当該ガイド凹部２０ｎ内に収容され位置決めされる。そして、バッテリー端子１は、スタッドボルト１０の軸部１０ａが積層方向上側に露出するような位置関係でポスト挿入孔２０ｆ、２０ｇにバッテリーポスト５１が挿入されることで、バッテリーポスト５１に組み付けられる。そして、バッテリー端子１は、ポスト挿入孔２０ｆ、２０ｇの内周面とバッテリーポスト５１の外周面とが接触した状態で、締結ボルト３２が軸方向Ｘ一方側、ここでは、積層方向（鉛直方向）上側から締め付けられることで、スリット２０ｈ、２０ｉを挟んで環状部２０ａ、２０ｂの締付端部２０ｋの両側が第１幅方向Ｙに締め付けられ、これにより、バッテリーポスト５１に締結される。
【００３８】
より詳細には、バッテリー端子１は、締結ボルト３２が工具等によって軸方向Ｘ（軸部３２ａ）周りに回転されることで、螺合作用により、締結ボルト３２が軸方向Ｘ他方側、ここでは、積層方向（鉛直方向）下側に移動する。バッテリー端子１は、締結ボルト３２の軸方向Ｘ他方側（積層方向下側）への移動に伴ってブラケット３３も軸方向Ｘ他方側へ移動し、板ナット３１のテーパ形成端部３１ｄ側に接近する。このとき、ブラケット３３は、各当接面３３ｄが環状部２０ａ、２０ｂの締付端部２０ｋに当接すると共に当該締付端部２０ｋに形成された切り欠き部２０ｍによって軸方向Ｘ周りの回転が規制されつつ軸方向Ｘに沿った移動が案内される。そして、バッテリー端子１は、ブラケット３３の軸方向Ｘの移動に伴って当該ブラケット３３に形成された各第２テーパ面３３ｅが板ナット３１のテーパ形成端部３１ｄに形成された各第１テーパ面３１ｅに当接する。バッテリー端子１は、各第２テーパ面３３ｅと各第１テーパ面３１ｅとが当接した状態で、締結ボルト３２の軸方向Ｘに沿ったさらなる移動に伴って、ブラケット３３が軸方向Ｘに沿って移動し、かつ、第１テーパ面３１ｅと当接しながら第１幅方向Ｙに沿って板ナット３１に対して相対移動しつつ、当該板ナット３１を第１幅方向Ｙに沿ってテーパ形成端部３１ｄ側に引き付ける。これにより、バッテリー端子１は、図５に示すように、締結ボルト３２の軸方向Ｘ周りの回転に伴って締結ボルト３２と板ナット３１との間に発生する軸方向Ｘの締結力Ｆ１を、第１幅方向Ｙの押圧力Ｆ２に変換することができる。ここで、第１幅方向Ｙの押圧力Ｆ２とは、板ナット３１の当接部３１ｂとブラケット３３の各当接面３３ｄとの間で第１幅方向Ｙに沿って本体部２０のスリット２０ｈ、２０ｉの間隔を縮小する方向に当該本体部２０の環状部２０ａ、２０ｂにおける締付端部２０ｋを押圧する力である。つまり、バッテリー端子１は、締結ボルト３２の回転に伴って当該締結ボルト３２と共にブラケット３３が軸方向Ｘに沿って板ナット３１側に接近すると、各第１テーパ面３１ｅと各第２テーパ面３３ｅとの作用によって、締結ボルト３２と板ナット３１との間に発生する軸方向Ｘの締結力Ｆ１が、第１幅方向Ｙに沿った押圧力Ｆ２に変換される。この結果、バッテリー端子１は、押圧力Ｆ２によって、環状部２０ａ、２０ｂの締付端部２０ｋがスリット２０ｈ、２０ｉの間隔を縮小する方向に押圧され、当該スリット２０ｈ、２０ｉの間隔が狭まる。
【００３９】
したがって、バッテリー端子１は、締結ボルト３２の回転に伴って各第１テーパ面３１ｅ、各第２テーパ面３３ｅが変換、発生させる押圧力Ｆ２によって、スリット２０ｈ、２０ｉの間隔が狭められるように押圧されることで、ポスト挿入孔２０ｆ、２０ｇの内周面とバッテリーポスト５１の外周面とが接触した状態でポスト挿入孔２０ｆ、２０ｇの径が縮小され、バッテリーポスト５１に締結される。そして、バッテリー端子１は、スタッドボルト１０の軸部１０ａに電線５４の末端に設けられた接続端子５２が電気的に接続される。一方、バッテリー端子１は、締結ボルト３２が逆回転に回転されることで、押圧力Ｆ２が弱まり、スリット２０ｈ、２０ｉの間隔が広がり、ポスト挿入孔２０ｆ、２０ｇの径が拡大され、バッテリーポスト５１から取り外し可能な状態となる。
【００４０】
そして、本実施形態のバッテリー端子１は、図６、図７、図８に示すように、ボルト保持部２２において、接続端子５２が接続されるスタッドボルト１０を、上板としての保持板状部２０ｃと下板としての保持板状部２０ｄとの間に挟み込んで保持する構成にあって、係合凹部２０ｑ、保持片２０ｔ、突起部２０ｕ等が設けられることで、スタッドボルト１０をより適正に保持することができる構成を実現している。
【００４１】
具体的には、上板としての保持板状部２０ｃは、上板本体部２０ｒ、上板折り返し端部２０ｓ、保持片２０ｔ、突起部２０ｕ、及び、中央突起部２０ｖを有し、上板折り返し端部２０ｓ、保持片２０ｔ、及び、突起部２０ｕが第１幅方向Ｙに対して上板本体部２０ｒの両側に一対で設けられる。下板としての保持板状部２０ｄは、下板本体部２０ｏ、下板折り返し端部２０ｐ、及び、係合凹部２０ｑを有し、下板折り返し端部２０ｐ、及び、係合凹部２０ｑが第１幅方向Ｙに対して下板本体部２０ｏの両側に一対で設けられる。ここではまず、下板としての保持板状部２０ｄを説明した後、上板としての保持板状部２０ｃを説明する。
【００４２】
下板本体部２０ｏは、略矩形板状に形成されポスト締結部２１を構成する環状部２０ｂに接続され軸方向Ｘに沿って保持板状部２０ｃの上板本体部２０ｒと対向する。このバッテリー端子１は、ポスト締結部２１を構成する環状部２０ｂと当該下板本体部２０ｏとの接続部分に軸方向Ｘに沿って段差が付された折り曲げ支点部２０ｘ（特に図８参照）を備える。言い換えれば、下板本体部２０ｏは、ポスト締結部２１を構成する環状部２０ｂが接続される側の端部に折り曲げ支点部２０ｘが設けられる。折り曲げ支点部２０ｘは、環状部２０ｂが積層方向上側に位置し下板本体部２０ｏが積層方向下側に位置するように段差が付されている。下板本体部２０ｏは、保持板状部２０ｃの上板本体部２０ｒに対して積層方向下側に位置して当該上板本体部２０ｒと軸方向Ｘに対向する。
【００４３】
各下板折り返し端部２０ｐは、下板本体部２０ｏの第２幅方向Ｚに沿った両端部に設けられ軸方向Ｘに沿って保持板状部２０ｃの上板本体部２０ｒ側に突出して形成される。言い換えれば、各下板折り返し端部２０ｐは、下板本体部２０ｏにおいて第１幅方向Ｙに沿って対向する両端部に設けられ、第２幅方向Ｚに沿って延在して形成される。各下板折り返し端部２０ｐは、下板本体部２０ｏの第２幅方向Ｚに沿って延在する両端部がそれぞれ軸方向Ｘに沿って保持板状部２０ｃの上板本体部２０ｒ側（ここでは、積層方向上側）に折り返されることで形成される。
【００４４】
各係合凹部２０ｑは、下板本体部２０ｏと各下板折り返し端部２０ｐとがなす折り返し角部に形成される。ここでは、各係合凹部２０ｑは、下板本体部２０ｏ、各下板折り返し端部２０ｐを板厚方向に貫通する略矩形状の貫通孔として形成される。各係合凹部２０ｑは、下板本体部２０ｏと各下板折り返し端部２０ｐとがなす折り返し角部において、第２幅方向Ｚのほぼ中央部に形成される。
【００４５】
上板本体部２０ｒは、略矩形板状に形成されポスト締結部２１を構成する環状部２０ａに接続され軸方向Ｘに沿って保持板状部２０ｄの下板本体部２０ｏと対向する。このバッテリー端子１は、ポスト締結部２１を構成する環状部２０ａと当該上板本体部２０ｒとの接続部分に軸方向Ｘに沿って段差が付された折り曲げ支点部２０ｗ（特に図８参照）を備える。言い換えれば、上板本体部２０ｒは、ポスト締結部２１を構成する環状部２０ａが接続される側の端部に折り曲げ支点部２０ｗが設けられる。折り曲げ支点部２０ｗは、環状部２０ａが積層方向上側に位置し上板本体部２０ｒが積層方向下側に位置するように段差が付されている。上板本体部２０ｒは、保持板状部２０ｄの下板本体部２０ｏに対して積層方向上側に位置して当該下板本体部２０ｏと軸方向Ｘに対向する。上板本体部２０ｒは、ほぼ中央部に上述した貫通孔としてのボルト挿入孔２０ｊが形成される。保持板状部２０ｃと保持板状部２０ｄとは、スタッドボルト１０の軸部１０ａがボルト挿入孔２０ｊを貫通した状態で、軸方向Ｘに対して上板本体部２０ｒと下板本体部２０ｏとの間にスタッドボルト１０のボルト頭部１０ｂを挟み込んで保持する。
【００４６】
各上板折り返し端部２０ｓは、上板本体部２０ｒの第２幅方向Ｚに沿った両端部に設けられ軸方向Ｘに沿って保持板状部２０ｄの下板本体部２０ｏ側に突出して形成される。言い換えれば、各上板折り返し端部２０ｓは、上板本体部２０ｒにおいて第１幅方向Ｙに沿って対向する両端部に設けられ、第２幅方向Ｚに沿って延在して形成される。そして、各上板折り返し端部２０ｓは、第１幅方向Ｙに対して一対の下板折り返し端部２０ｐの外側に位置して形成される。各上板折り返し端部２０ｓは、上板本体部２０ｒの第２幅方向Ｚに沿って延在する両端部がそれぞれ軸方向Ｘに沿って保持板状部２０ｄの下板本体部２０ｏ側（ここでは、積層方向下側）に折り返されることで形成される。そして、各上板折り返し端部２０ｓは、第１幅方向Ｙに対して一対の下板折り返し端部２０ｐを挟んで当該一対の下板折り返し端部２０ｐの外側に位置する。
【００４７】
各保持片２０ｔは、それぞれ各上板折り返し端部２０ｓから第１幅方向Ｙに沿って各係合凹部２０ｑ内に突出する。各保持片２０ｔは、それぞれ各上板折り返し端部２０ｓから突出し第１幅方向Ｙに沿って係合凹部２０ｑ内に折り返されて形成される。各保持片２０ｔは、略矩形状の折り曲げ片として形成される。各保持片２０ｔは、係合凹部２０ｑ内に位置した状態で、軸方向Ｘに対して上板本体部２０ｒとの間に各下板折り返し端部２０ｐを挟み込むようにして抱え込んで保持する。そして、各保持片２０ｔは、係合凹部２０ｑ内に位置した状態で、保持板状部２０ｃと保持板状部２０ｄとが第２幅方向Ｚに沿って相対移動することを規制すると共に、当該保持板状部２０ｃと当該保持板状部２０ｄとが軸方向Ｘに沿って開くことを規制する。
【００４８】
各突起部２０ｕは、それぞれ上板本体部２０ｒから軸方向Ｘに沿って保持板状部２０ｄの下板本体部２０ｏ側に突出して形成される。各突起部２０ｕは、下板折り返し端部２０ｐにおける端面２０ｐａと当接する位置に形成される。ここで、下板折り返し端部２０ｐにおける端面２０ｐａは、下板折り返し端部２０ｐにおける第２幅方向Ｚのポスト締結部２１とは反対側の端面である。各突起部２０ｕは、例えば、上板本体部２０ｒの積層方向上側からプレス加工されることで、積層方向下側、すなわち、保持板状部２０ｄの下板本体部２０ｏ側に突出して形成される。また、本実施形態の各突起部２０ｕは、上板本体部２０ｒと下板本体部２０ｏとが軸方向Ｘに対してスタッドボルト１０のボルト頭部１０ｂを挟み込んで保持した状態で、ボルト頭部１０ｂと当接しスタッドボルト１０の軸部１０ａ周りの回転を規制する回転規制部としても機能する。各突起部２０ｕは、ボルト頭部１０ｂの第１幅方向Ｙの両端面にそれぞれ当接する。
【００４９】
中央突起部２０ｖは、上板本体部２０ｒから軸方向Ｘに沿って保持板状部２０ｄの下板本体部２０ｏ側に突出して形成される。中央突起部２０ｖは、ボルト頭部１０ｂにおける第２幅方向Ｚのポスト締結部２１とは反対側の端面と当接する位置に形成される。中央突起部２０ｖは、突起部２０ｕと同様に、例えば、上板本体部２０ｒの積層方向上側からプレス加工されることで、積層方向下側、すなわち、保持板状部２０ｄの下板本体部２０ｏ側に突出して形成される。中央突起部２０ｖは、上板本体部２０ｒと下板本体部２０ｏとが軸方向Ｘに対してスタッドボルト１０のボルト頭部１０ｂを挟み込んで保持した状態で、ボルト頭部１０ｂと当接しスタッドボルト１０の軸部１０ａ周りの回転を規制する回転規制部として機能する。
【００５０】
以上で説明したバッテリー端子１は、ポスト締結部２１がバッテリーポスト５１に締結されると共に、ボルト保持部２２が保持板状部２０ｃと保持板状部２０ｄとの間にスタッドボルト１０を挟み込んで保持する。この場合、バッテリー端子１は、保持板状部２０ｃの上板本体部２０ｒ、各上板折り返し端部２０ｓ、及び、各保持片２０ｔと、保持板状部２０ｄの下板本体部２０ｏ、各下板折り返し端部２０ｐ、及び、各係合凹部２０ｑとによってスタッドボルト１０のボルト頭部１０ｂを挟み込んで保持する。そして、バッテリー端子１は、保持板状部２０ｃに形成された各突起部２０ｕが各下板折り返し端部２０ｐにおける第２幅方向Ｚのポスト締結部２１とは反対側の端面２０ｐａと当接する。これにより、バッテリー端子１は、当該各突起部２０ｕによって保持板状部２０ｃと保持板状部２０ｄとの第２幅方向Ｚに沿った相対移動を強固に規制することができる。この結果、バッテリー端子１は、保持板状部２０ｃの上板本体部２０ｒ、各上板折り返し端部２０ｓ、及び、各保持片２０ｔと、保持板状部２０ｄの下板本体部２０ｏ、各下板折り返し端部２０ｐ、及び、各係合凹部２０ｑとが相互に変形することを抑制することができる。
【００５１】
例えば、バッテリー端子１は、当該バッテリー端子１が適用されたバッテリー５０を搭載する車両が走行時に軸方向Ｘに沿って振動し電線５４が軸方向Ｘに沿って振動した場合、図８に例示するように、当該電線５４の振動による荷重Ｆ３がスタッドボルト１０、及び、これを保持するボルト保持部２２に作用する場合がある。このとき、バッテリー端子１は、各係合凹部２０ｑ内に折り曲げられた各保持片２０ｔを押し広げる方向、すなわち、積層方向下側に向けて荷重Ｆ３が作用する場合がある。これに対して、バッテリー端子１は、各突起部２０ｕが各下板折り返し端部２０ｐにおける端面２０ｐａと当接していることで、スタッドボルト１０、ボルト保持部２２に荷重Ｆ３が作用した際に、保持板状部２０ｃと保持板状部２０ｄとが第２幅方向Ｚに沿って位置ズレすることを規制することができる。これにより、バッテリー端子１は、保持板状部２０ｃと保持板状部２０ｄとの第２幅方向Ｚに沿った位置ズレに起因して各保持片２０ｔが押し広げられることを規制することができる。この結果、バッテリー端子１は、各保持片２０ｔが各係合凹部２０ｑ内に位置し、上板本体部２０ｒとの間に各下板折り返し端部２０ｐを挟み込むようにして抱え込んで保持し、保持板状部２０ｃと保持板状部２０ｄとを適正な位置関係で位置決めし、当該保持板状部２０ｃと当該保持板状部２０ｄとが軸方向Ｘに沿って開くことを規制した状態を適正に維持することができる。したがって、バッテリー端子１は、適正にスタッドボルト１０を保持することができ、スタッドボルト１０と本体部２０との電気的な接続の信頼性を向上することができ、ひいてはバッテリー端子１と接続端子５２との電気的な接続の信頼性を向上することができる。
【００５２】
さらに、以上で説明したバッテリー端子１は、各突起部２０ｕがスタッドボルト１０のボルト頭部１０ｂと当接しスタッドボルト１０の軸部１０ａ周りの回転を規制する回転規制部としても機能する。これにより、バッテリー端子１は、ナット５５を軸部１０ａに締結する際に確実にスタッドボルト１０の軸部１０ａ周りの回転を規制することができる。ここではさらに、バッテリー端子１は、中央突起部２０ｖもスタッドボルト１０のボルト頭部１０ｂと当接しスタッドボルト１０の軸部１０ａ周りの回転を規制する回転規制部として機能することで、より確実にスタッドボルト１０の軸部１０ａ周りの回転を規制することができる。この結果、バッテリー端子１は、スタッドボルト１０への接続端子５２の取り付け作業性を向上することができ、スタッドボルト１０と接続端子５２との電気的な接続の信頼性をさらに向上することができる。
【００５３】
さらに、以上で説明したバッテリー端子１は、ポスト締結部２１と上板本体部２０ｒ、及び、下板本体部２０ｏとの接続部分にそれぞれ折り曲げ支点部２０ｗ、２０ｘが設けられており、荷重Ｆ３が作用した際には、保持板状部２０ｃ側の折り曲げ支点部２０ｗで当該荷重Ｆ３を受けることとなる。このとき、バッテリー端子１は、各突起部２０ｕが各下板折り返し端部２０ｐにおける端面２０ｐａと当接し保持板状部２０ｃと保持板状部２０ｄとが第２幅方向Ｚに沿って位置ズレすることを規制した状態で、荷重Ｆ３を各突起部２０ｕや各下板折り返し端部２０ｐの端面２０ｐａ等を介して保持板状部２０ｄ側の折り曲げ支点部２０ｘにも分散させて当該折り曲げ支点部２０ｘで受けることができる。したがって、バッテリー端子１は、この点でも保持板状部２０ｃと保持板状部２０ｄとの変形を抑制することができ、より適正にスタッドボルト１０を保持することができる。
【００５４】
なお、上述した本発明の実施形態に係るバッテリー端子は、上述した実施形態に限定されず、特許請求の範囲に記載された範囲で種々の変更が可能である。
【００５５】
以上の説明では、本体部２０は、導電性を有する金属板のプレス折り曲げ加工等により、一対の環状部２０ａ、２０ｂ、一対の保持板状部２０ｃ、２０ｄ、及び、屈曲連結部２０ｅが一体で形成されるものとして説明したがこれに限らない。本体部２０は、例えば、屈曲連結部２０ｅを備えず、軸方向Ｘに対して上板を構成する上側分割体（環状部２０ａ、保持板状部２０ｃ）と下板を構成する下側分割体（環状部２０ｂ、保持板状部２０ｄ）との２層分割構造とし、別体に構成される上側分割体と下側分割体とを一体化する構成を有するものであってもよい。
【００５６】
以上で説明した締付部３０は、例えば、ナット又はボルト等の締結部材を第１幅方向Ｙに沿って螺合させることで、第１幅方向Ｙに沿って本体部２０のスリット２０ｈ、２０ｉの間隔を縮小する方向に当該本体部２０を押圧する第１幅方向Ｙの押圧力を発生させる構成であってもよい。つまり、締付部３０は、本体部２０をバッテリーポスト５１に対して締結することができるものであれば上記の形式に限られない。
【００５７】
以上で説明した各突起部２０ｕは、ボルト頭部１０ｂと当接しスタッドボルト１０の軸部１０ａ周りの回転を規制する回転規制部としても機能するものとして説明したがこれに限らない。
【符号の説明】
【００５８】
１    バッテリー端子
１０    スタッドボルト（接続部材）
１０ａ    軸部
１０ｂ    ボルト頭部（基部）
２０    本体部
２０ｃ    保持板状部（上板）
２０ｄ    保持板状部（下板）
２０ｊ    ボルト挿入孔（貫通孔）
２０ｏ    下板本体部
２０ｐ    下板折り返し端部
２０ｐａ    端面
２０ｑ    係合凹部
２０ｒ    上板本体部
２０ｓ    上板折り返し端部
２０ｔ    保持片
２０ｕ    突起部
２０ｗ、２０ｘ    折り曲げ支点部
２１    ポスト締結部
２２    ボルト保持部（接続部材保持部）
５１    バッテリーポスト
５２    接続端子（接続相手部材）
Ｘ    軸方向
Ｙ    第１幅方向（交差方向）
Ｚ    第２幅方向（連接方向）
【図１】
2018063780.tif 000003
【図２】
2018063780.tif 000004
【図３】
2018063780.tif 000005
【図４】
2018063780.tif 000006
【図５】
2018063780.tif 000007
【図６】
2018063780.tif 000008
【図７】
2018063780.tif 000009
【図８】
2018063780.tif 000010